(57)【要約】【課題】  排紙トレイの下方に並設した給紙トレイに原稿束を正しい姿勢で容易にセットすることが出来、同時に原稿先端部を給紙ローラなどの給紙部材とトレイ底面との間に無理なく挿入してセットすることが可能で原稿を損傷することなく正しく装填することを可能にする。【解決手段】  画像を読取るプラテン２の上方に給紙トレイ１７と排紙トレイ１８をこの順に上下に並設する。この排紙トレイ１８を搬送方向後端部が給紙トレイ１７との間隔を拡開するように、また給紙トレイ１７は搬送方向先端部が給紙ローラ２６などの給紙手段から離間するようそれぞれ適宜の装置フレーム２０ａ、２０ｂに揺動自在に取付ける。そして上記排紙トレイ１８の揺動に連動して給紙トレイ先端を上記給紙手段２６から離間するよう降下させる連動手段８０を設ける。この連動手段は排紙トレイの運動を給紙トレイに伝達する偏心カムなどのカム手段或いは排紙トレイの回転運動を給紙トレイの支持軸に伝達する歯車によって構成する。【選択図】  図８
2005162427.tif 000002
【特許請求の範囲】
【請求項１】
画像読み取りプラテンと、
このプラテン上に配置され該プラテンに沿って原稿を搬送する搬送ベルト手段と、
この搬送ベルト手段に隣接して上記プラテン上に配置され該搬送ベルト手段に原稿を供給する給紙トレイと、
上記給紙トレイの上方に所定の間隔を形成して並設され上記搬送ベルト手段からの原稿を収納する排紙トレイと、
上記給紙トレイからの原稿を上記プラテン上の所定位置に給送すると共に搬送方向を反転して上記排紙トレイに搬出するように上記搬送ベルト手段を駆動する駆動手段と、
上記給紙トレイの給紙方向先端部に設けられ最上原稿から順次繰出す給紙手段と、を備え、
上記給紙トレイと排紙トレイとの給紙方向後端部の間隔を拡開するよう上記排紙トレイを揺動自在に構成し、この排紙トレイの揺動に連動して上記給紙トレイの給紙方向先端部を上記給紙手段から離間するよう降下させる連動手段を設けたことを特徴とする画像読取装置。
【請求項２】
シートを載置する給紙トレイと、
この給紙トレイの給紙方向先端部に設けられ最上シートから順次繰出す給紙手段と、
この給紙手段からのシートを所定の処理位置に移送する搬送手段と、
上記給紙トレイの上方に所定の間隔を形成して並設され上記搬送手段からのシートを収納する排紙トレイと、を備え、
上記給紙トレイと排紙トレイとの給紙方向後端部の間隔を拡開するよう上記排紙トレイを揺動自在に構成し、この排紙トレイの揺動に連動して上記給紙トレイの給紙方向先端部を上記給紙手段から離間するよう降下させる連動手段を設けたことを特徴とするシートフィーダ。
【請求項３】
前記給紙手段は前記給紙トレイ上の最上シートと接して繰出すローラ、ベルトなどの摩擦回転部材で構成され、前記給紙トレイは給紙方向先端部をこの摩擦回転部材に圧接する付勢手段を備えていることを特徴とする請求項２記載のシートフィーダ。
【請求項４】
前記搬送手段はシートを移送する搬送ベルトと、この搬送ベルトにシートを吸引するバキューム手段とで構成されていることを特徴とする請求項２記載のシートフィーダ。
【請求項５】
前記排紙トレイは給紙方向先端部を、前記給紙トレイは給紙方向後端部をそれぞれ回動自在に適宜フレームに支持され、前記連動手段は上記排紙トレイと給紙トレイとの間に設けたカム部材で構成されていることを特徴とする請求項２乃至４記載のシートフィーダ。
【請求項６】
シートを載置する給紙トレイと、
この給紙トレイの給紙方向先端部に設けられ最上シートから順次繰出す給紙ローラと、
この給紙ローラからのシートを所定の処理位置に移送する搬送ベルトと、
上記給紙トレイの上方に所定の間隔を形成して並設され上記搬送ベルトからのシートを収納する排紙トレイと、
上記搬送ベルトを正転及び反転して駆動する正逆転可能な駆動手段と、
上記給紙トレイの給紙方向先端部を上記給紙ローラに圧接する付勢手段と、を備え、
上記給紙トレイは給紙方向後端部を上記排紙トレイは給紙方向先端部を中心にそれぞれ揺動自在に構成し、
この排紙トレイの揺動に連動して上記給紙トレイを上記給紙ローラから離間させるカム部材を備えたことを特徴とするシートフィーダ。
【請求項７】
前記カム部材は回転中心を有する回転カムで構成され、前記排紙トレイの所定角度揺動後に前記給紙トレイを前記給紙ローラから離間する方向に従動させることを特徴とする請求項６記載のシートフィーダ。
【請求項８】
原稿を所定位置にセットするプラテンと、
このプラテン上の原稿を読み取る画像読取手段と、
上記プラテン上方に配置された原稿を載置する給紙トレイと、
この給紙トレイ上の原稿を繰出す給紙ローラと、
この給紙ローラからの原稿を上記プラテン上の所定位置に給送セットする搬送手段と、
上記給紙トレイの上方に所定の間隔を形成して並設され上記搬送手段からのシートを収納する排紙トレイと、を備え、
上記給紙トレイと排紙トレイとの給紙方向後端部の間隔を拡開するよう上記排紙トレイを揺動自在に構成し、この排紙トレイの揺動に連動して上記給紙トレイの給紙方向先端部を上記給紙ローラから離間するよう降下させる連動手段を設けたことを特徴とする画像読取装置。
【請求項９】
前記搬送手段は、前記プラテンに沿って張設したエンドレスベルトとこのエンドレスベルトに原稿を吸引するバキューム手段とで構成されていることを特徴とする請求項８記載の画像読取装置。
【請求項１０】
前記搬送手段は前記プラテンの一部を覆う搬送枠フレームに取付けられ、この搬送枠フレームは前記プラテンの全体を覆う装置フレームに取付けられていることを特徴とする請求項８記載の画像読取装置。
【請求項１１】
前記装置フレームには前記プラテンの光を遮蔽する遮光カバー部材が設けられ、この遮光部材の上方に前記給紙トレイが、この給紙トレイの上方に前記排紙トレイがそれぞれ配置されていることを特徴とする請求項１０記載の画像読取装置。
【発明の詳細な説明】
【技術分野】
【０００１】
本発明は複写機、プリンター、ファクシミリ等の画像入力装置における画像読取プラテンに原稿をトレイから供給し、読取後の原稿をトレイに収納するシートフィーダ及びこれを用いた画像読取装置に関する。
【背景技術】
【０００２】
一般にスキャナーなどの画像読取プラテンに給紙トレイから原稿を自動的に供給するフィーダ装置は種々のものが知られている。通常このフィーダ装置はプラテン上方にヒンジ部材で開閉自在に据付けられフィーダ装置を使用しないブック原稿或いは大サイズ原稿を読取る場合はプラテンを開放して原稿をマニュアルでセットした後フィーダ装置で覆う構造になっている。
【０００３】
一方スキャナー装置が単独或いはプリンターなどの入力装置としてコンピュータに接続されネットワークを構成するに至って最近は写真、ネガフィルム、ＯＨＰシートなど特殊な原稿をフィーダ装置で自動的に供給する要求が増えている。例えばコンピュータに写真原稿を読込んで編集したり記憶保管する方法は広く用いられている。
【０００４】
このように写真、フィルムなど特殊な原稿を給排送する装置は原稿を傷付けない様、原稿シートに出来るだけストレスを与えないようにトレイからプラテンに給送し、そして搬出する必要がある。同時に使用する都度簡単にプラテン上に装着することが望ましく出来るだけ装置を小型、軽量かつコンパクトに構成することが要求されている。
【０００５】
そこで本発明者はプラテンに沿って給紙トレイと搬送ベルトを配置し、この給紙トレイの上方に排紙トレイを上下に並設することによって原稿は大きく曲げられることなく直線的な経路でトレイからプラテンの所定位置に給排送され原稿へのストレスが少なく損傷を防止できるとの知見に至った。
【０００６】
このような装置構成では給紙トレイの上方に排紙トレイが位置し、給紙トレイからプラテンに沿って原稿は繰出され、再びプラテンから排紙トレイにスイッチバックして搬出されることとなり、給紙トレイと排紙トレイとを出来るだけ上下方向の寸法を小さく配置することが要求される。
【０００７】
この場合、給紙トレイの上方に排紙トレイを小さい間隔で上下に配置すると給紙トレイへの原稿のセット作業が面倒であり、正確な位置をセットすることが困難となる。そこで従来上方に位置する排紙トレイを揺動自在にフレームに取付けて原稿のセット時はこの排紙トレイを起立させ給紙トレイの上方空間を広げることが例えば特許文献１（ニスカ公報）に提案されている。この特許文献１には給紙トレイの上方に排紙トレイを配置し、この排紙トレイの給紙方向先端を軸承して後端を上下方向に揺動可能するものが開示されている。これによって給紙トレイにシートを収納する際、排紙トレイを上方に移動することによってシート装填を容易に出来るようにしている。
【特許文献１】実用新案公報実公昭５９−７３１６号公報（図１）
【発明の開示】
【発明が解決しようとする課題】
【０００８】
上述のように給紙トレイに原稿をセットする際、排紙トレイを揺動させて給紙トレイと排紙トレイの後端部の空間を広げる前掲特許文献１のものにあっては、原稿の先端側（給紙方向前側）は原稿セット時にも上下の間隔が狭く原稿を挿入すると原稿が擦れて損傷する問題が起こる。特に原稿が写真のように表面がゼラチンなど軟らかい物質でコーティングされているときは束状の原稿を楔状のトレイ先端部に挿入すると原稿相互が擦れて損傷し或いは最上原稿は給紙ローラによって傷つく恐れがある。
【０００９】
従って原稿を給紙トレイに損傷することなく正確な位置にセットする為には前掲特許文献１のようにトレイ後端の操作空間を大きくするのみでは不十分であり原稿先端部が棄損したり曲がった姿勢で装填され紙詰まりを招く問題がある。
【００１０】
そこで本発明は、排紙トレイの下方に並設した給紙トレイに原稿束を正しい姿勢で容易にセットすることが出来、同時に原稿先端部を給紙ローラなどの給紙部材とトレイ底面との間に無理なく挿入してセットすることが可能で原稿を損傷することなく正しく装填することの出来るシート供給装置の提供をその課題としている。
【００１１】
更に本発明は写真など損傷し易い原稿を読取プラテン上の所定位置に給送及び搬出することが可能でトレイへの原稿のセットから排紙収納まで原稿を傷付ける恐れの少ない画像読取装置を簡単な構造で提供することを課題としている。
【課題を解決するための手段】
【００１２】
本発明は上述の課題を以下の構成によって達成する。
画像を読取るプラテンの上方に給紙トレイと排紙トレイをこの順に上下に並設する。この排紙トレイを搬送方向後端部が給紙トレイとの間隔を拡開するように、また給紙トレイは搬送方向先端部が給紙ローラなどの給紙手段から離間するようそれぞれ適宜の装置フレームに揺動自在に取付ける。そして上記排紙トレイの揺動に連動して給紙トレイ先端を上記給紙手段から離間するよう降下させる連動手段を設ける。この連動手段は排紙トレイの運動を給紙トレイに伝達する偏心カムなどのカム手段或いは排紙トレイの回転運動を給紙トレイの支持軸に伝達する歯車によって構成する。
【００１３】
このように排紙トレイの後端部を揺動させることによって給紙トレイ上方の空間が拡開しシート束の装填が容易であり、給紙トレイの先端部は連動して給紙手段から離間しシートの先端もスムーズに挿入され正しい姿勢で装填されることとなる。
【００１４】
更に本発明はプラテンの上方に給紙トレイと搬送手段とをプラテン表面に沿って並列に配置し、この給紙トレイの上方に排紙トレイを上下に並設し、給紙トレイのシートを上記搬送手段でプラテンに沿って供給し、この搬送手段を逆転させてプラテン上のシートを排紙トレイに収納することによって原稿を湾曲させる程度が少なく、ほぼ直線的な経路で原稿の給排送を行うようにする。これによって原稿はストレスが少なくスムーズで損傷することなく搬送されることとなる。
【００１５】
この搬送手段はプラテンとの間に少許の間隔を形成してエンドレスベルトを配置し、このベルトを正逆転可能な駆動手段に連結して構成する。またこのエンドレスベルトにはシートを吸引するバキューム手段を上記ベルトを覆うバキュームチェンバーとこのチェンバー内を減圧するファンとで設ける。
【００１６】
また本発明は原稿を所定位置にセットするプラテンと、このプラテン上の原稿を読み取る画像読取手段と、上記プラテン上方に配置された原稿を載置する給紙トレイと、この給紙トレイ上の原稿を繰出す給紙ローラと、この給紙ローラからの原稿を上記プラテン上の所定位置に給送セットする搬送手段と、上記給紙トレイの上方に所定の間隔を形成して並設され上記搬送手段からのシートを収納する排紙トレイとを備え、上記給紙トレイと排紙トレイとの給紙方向後端部の間隔を拡開するよう上記排紙トレイを揺動自在に構成し、この排紙トレイの揺動に連動して上記給紙トレイの給紙方向先端部を上記給紙ローラから離間するよう降下させる連動手段を設けた画像読取装置としても上記の課題を達成することが出来る。
【発明の効果】
【００１７】
本発明は上下に並設した排紙トレイと給紙トレイとを、排紙トレイを揺動させることによって給紙トレイ後端部には排紙トレイとの間に原稿をセットする操作空間が確保されその操作が容易となる。同時に給紙トレイ先端部には給紙ローラなどの給紙手段との間に原稿先端が進入する間隙が形成され原稿先端を傷めることなく正確に原稿をセットすることが出来る。また排紙トレイの揺動に連動して給紙トレイ先端も移動するためセットの時の操作も容易である。
【００１８】
更に本発明は画像読取りのプラテンに沿って給紙トレイと搬送手段を左右並列に配置し、給紙トレイの上方に排紙トレイを上下に並設したので原稿は給紙トレイからプラテンに、プラテンから排紙トレイにスイッチバック搬送され略々直線の経路でストレスなくスムーズな給排送が可能となる。従って原稿に与える損傷の恐れが少なく装置全体が小型軽量な画像読取装置の提供が可能である。
【発明を実施するための最良の形態】
【００１９】
以下図示の好適な実施の形態に基づいて本発明を詳述する。
【００２０】
図１乃至図５は本発明を実施したシートフィーダ装置をユニットとして組込んだ画像読取装置の説明図である。図１はシートフィーダＢを画像読取装置に据付けた状態を示す斜視図であり、図２はフィーダ装置の組立分解斜視図、図３は図２の装置を縦断した縦断面図、図４は図２の装置の平面図、図５は図２の装置の一部を構成する搬送ユニットの底面を示す説明図である。
【００２１】
図１においてＡは画像読取装置であり、図示のものはスキャナー装置を示す。Ｂはフィーダ装置であり画像読取装置Ａのプラテン２上に据付けられる。画像読取装置Ａにはケーシング１の一部にプラテン２が設けられ、このプラテン２は上面に原稿を載置するよう透明で平坦なガラス板で形成されている。ケーシング１にはこのプラテン２を固定すると同時に原稿を突き当ててセット位置を規定する段差５ａを有するフランジが設けられている。上記ケーシング１にはプラテンカバー３がヒンジ連結されプラテン２上面を開閉するようになっている。ケーシング１内部には図３に示す光学読取機構部６と画像データ処理部７とデータ出力部８と制御部が設けられている。光学読取機構部６はプラテン２に沿って移動自在のキャリッジ１０に光源１１と反射ミラー１２と結像レンズ１３と光電変換素子１４が搭載されている。キャリッジ１０は図示しないがガイドレールで図３左右方向に駆動ワイヤー１５とこれに取付けた駆動モータ１６によって往復動するようになっている。
【００２２】
従って、駆動モータ１６を回転制御すればキャリッジ１０はプラテン２に沿って移動することとなる。このキャリッジ１０に搭載された光電変換素子１４はＣＣＤ（チャージカップルドディバイス）などのラインセンサーで構成され光源１１の光をプラテン２に照射しプラテン２上にセットされた原稿の反射光を反射ミラー１２を介して結像レンズ１３に導き、この結像レンズ１３で光電変換素子１４上に集光するように構成されている。光電変換素子１４からのデータは画像データ処理部７で２値或いは多値にＡＤ変換され、ディザ補正、ガンマ補正などのデータ補正が施されフレームバッファーなどの記憶素子に貯えられる。この補正処理後のデータはデータ出力部８から外部のコンピュータ、或いはプリンター装置に電気信号として出力される。
【００２３】
以上の画像読取装置の構造は一般的な構成としてすでに種々のものが知られ、前記光電変換素子として面センサー（エリアセンサー）を用いプラテンに沿って移動することなく原稿全体を同時に光電変換するフラッシュ露光も良く知られ、本発明に採用可能である。同様に光電変換機構として結像レンズを用いた縮小光学系でＣＣＤに結像するものを示したが光電変換素子とセルフォックスレンズを一体化した密着センサーを前記キャリッジ１０に搭載しても良い。
【００２４】
前記プラテン２には使用者が原稿をセットしプラテンカバー３で覆った後、読取開始の操作釦を押すことによって原稿の画像を読取ることは通常のスキャナー装置、複写装置と同様であり、プラテンカバー３の代わりに原稿を自動給送するＡＤＦ（オートドキュメントフィーダ）装置を取付けても良い。このＡＤＦ装置は例えば上下に給紙トレイと排紙トレイを並べて配置し、給紙トレイから排紙トレイにＵ字状の搬送経路を設け、この経路の途中に前記プラテンが臨むように構成し、キャリッジ１０を停止した状態で原稿を一定速度で走行させながら順次読取るものとして広く知られ使用されている。このＡＤＦ装置もプラテンカバー３と同様にプラテン２に対しヒンジ連結されプラテン２上面を開放するようになっている。
【００２５】
上記プラテン２には以下の構成のフィーダ装置が据付けられる。フィーダ装置Ｂは、原稿を載置する給紙トレイ１７と排紙トレイ１８とこの給紙トレイ１７から排紙トレイ１８に原稿を搬送する搬送ベルト１９から構成され装置フレーム２０にこれらが取付けてある。図示のものは銀鉛写真などを給送する装置として次の配慮がされているが本発明は必ずしも銀鉛写真用フィーダに限られるものではない。
【００２６】
通常銀鉛写真は表面にゼラチン質のコーティングがされている為ガラスプラテン上に押し付けながら搬送すると給送不良を招いたり、写真表面を損傷する恐れがある。そこで搬送ベルト１９をプラテン表面から離間し少許の間隔を形成し搬送ベルト１９に原稿を吸引するバキュームチェンバー２２を設けることによって上記問題を解決する。
【００２７】
そして給紙トレイからの原稿が搬送ベルト側にバキュームチェンバーの負圧で吸引されるようにプラテン表面に沿って給紙トレイと搬送ベルトを並べて配置する。更に給紙トレイから搬送ベルトに至る搬送ガイドの傾斜角度を原稿がベルト側に密着するように設定する。
【００２８】
また上記搬送ベルト１９はプラテン表面に傾いて据え付けられることがないように配慮する。尚プラテン表面との間隔は原稿の厚さより大きい最適の条件を実験などによって設定し、上記バキュームチェンバー２２の構成は例えば後述の方法を採用する。
【００２９】
次に写真原稿は通常使用されるプラテン例えばＪＩＳＡ３規格サイズより非常に小サイズであり、そのフィーダ装置をプラテンと同一サイズ構成にすると装置が大型化して重量も重くなりその取扱いが困難となる。そこで図示のものはプラテン全体を覆う装置フレーム２０から分離して原稿搬送に必要なプラテンの一部を占める搬送枠フレーム２１を設け、この搬送枠フレーム２１に搬送ベルト１９及びバキュームチェンバー２２などの原稿を搬送する機能部品を組込むことによって小型化と軽量化を計っている。そして装置フレーム２０には搬送枠フレーム２１の占める領域以外のプラテン表面を覆う遮光カバー部材２４を設けている。
【００３０】
装置フレーム２０は図1に示す外装カバー２０ａと図４に示す底枠２０ｂとで構成され、いずれも合成樹脂のモールド成形で製作してあり、両者を合体して装置全体のハウジングが形成される。この装置フレーム２０には給紙トレイ１７、排紙トレイ１８と搬送枠フレーム２１及び後述の駆動モータＭが取付けられるモノコック構造になっている。装置フレーム２０は画像読取装置Ａのプラテン２全体を覆う大きさにしてあり、底枠２０ｂには搬送枠フレーム２１を取り付ける露光開口部２３と、この開口部２３を除く部分でプラテン２を覆う遮光カバー部（遮光部材）２４とが設けてある。このように装置フレーム２０をプラテン２より大きく形成しその底枠２０ｂに遮光カバー部（遮光部材）２４を設けたのは前述の光源１１からの光が外部に漏れないようにする為であり、遮光カバー部（遮光部材）２４はプラテン２と当接する板状になっている。底枠２０ｂには給紙トレイ１７と排紙トレイ１８が取付けられる。トレイには左右一対のサイドガイド１７ｂが設けられ、装置の底枠２０ｂにピン２５で揺動自在に固定され原稿が自重で落下するように傾斜して取付けられている。サイドガイド１７ｂは原稿載置トレイ１７ａに取り付けられ異なるサイズの原稿を中央を基準（センター基準）に揃えるよう左右一対の板状ガイドが同一量ずつ接近及び離反するよう連結され、その構造はラックとピニオンの組合せ或いはワイヤーなどで広く知られている。
【００３１】
給紙トレイ１７の先端には給紙ローラ２６がトレイ上の最上原稿を図３右側に繰出すよう配置され、このローラ２６の前方に摩擦パッド２７が配置されている。この給紙ローラ２６と摩擦パッド２７は原稿を一枚ずつ分離する摩擦係数の材質で構成されその条件は広く知られているが図示のものは原稿の損傷を防ぐ為給紙ローラ２６で繰出した原稿先端が摩擦パッド２７上を移動する際に一枚ずつ分離する捌き分離構造を採用している。これ等の給紙ローラ２６および摩擦パッド２７は前記装置フレーム２０の底枠２０ｂにそれぞれ取付けられている。図示１７ｃは付勢スプリングで給紙トレイ１７を常時給紙ローラ２６側に圧接している。上記給紙トレイ１７と並行してその上方に排紙トレイ１８が配置され、この排紙トレイ１８も装置フレーム２０の底枠２０ｂに取付けられている。このように給紙トレイ１７と排紙トレイ１８を上下に並べて配置したのはプラテン２上にフィーダ装置Ｂ全体をコンパクトに設置できるようにする為である。
【００３２】
そこで上記給紙トレイ１７と排紙トレイ１８の構造について図８、図９に従って説明すると、この給紙トレイと排紙トレイとは図示のようにプラテン２の上方に上下に並設され、それぞれ原稿（シート）を載置するトレイ状に形成してある。給紙トレイ１７はシート搬送方向後端部１７ｄを装置フレーム２０の底枠２０ｂにピン２５で軸承されている。従って給紙トレイ１７はピン２５を中心に揺動自在となり、先端部は前述の付勢スプリング１７ｃで支持される。図示の付勢スプリング１７ｃはコイルバネで底枠２０ｂと給紙トレイ１７の底面との間に取付けられ常時給紙トレイ先端部を給紙ローラ２６側に圧接している。前記排紙トレイ１８は給紙方向先端部１８ａを装置フレーム２０の外装カバー２０ａにピン１８ｃで軸承してありこのピン１８ｃを中心に図８反時計方向に回動するように重心が設定してある。そしてこのトレイ先端部は外装カバー２０ａのストッパー壁２０ｄに当接して保持され、このトレイ１８の後端部１８ｂを矢印方向に押上げるとピン１８ｃを中心に回動し図１０の状態となる。
【００３３】
給紙トレイ１７と排紙トレイ１８とは以下の連動手段８０で互いに連動するようになっている。両トレイ１７、１８の間にはカム８１が設けてあり、底枠フレーム２０ｂに軸８２で回転自在に支持されカムの外周には排紙トレイ１８底面と係合面８１ａで給紙トレイ１７表面と係合面８１ｂでそれぞれ係合する偏心カム面が形成してある。この連動手段８０は排紙トレイ１８を図９時計方向に回転したとき給紙トレイ１７を時計方向に従動させる構造であれば偏心カムに必ず種々のものが採用可能である。尚図示のカム８１は図１０Ａの状態で排紙トレイ１８との間に間隙Ｄが形成してあり、軸８２にはカム８１を給紙トレイ１７側に付勢するコイルバネ（図示せず）が設けてある。これは排紙トレイ１８に例えば使用者が原稿を途中で取外すなどの外部の力が及んだ際に給紙トレイ１７が移動して給紙ローラ２６と原稿との圧接力が変化して適正な給紙が損なわれるのを防止する為である。従ってこの間隙Ｄは排紙トレイを所定角度回転した後給紙トレイ１７先端部が給紙ローラ２６から離れるよう適度な寸法に設定する。
【００３４】
前記装置フレーム２０には図２及び図５に示す搬送枠フレーム２１が露光開口部２３に取付けられる。搬送枠フレーム２１には樹脂成形で一体に形成したバキュームチェンバー２２とこのチェンバー２２にバキュームファン２９が取付けられ、搬送ベルト１９が周囲を巻迴するように取付けられる。搬送ベルト１９は一対のプーリ３１に支持されたエンドレスベルトで構成されその全長に通気孔３２が穿設されている。そしてプーリ３１の回転軸３３が搬送枠フレーム２１に形成された軸受溝３４に嵌合され回転自在に支持されている。上記搬送枠フレーム２１には多数のバキューム通孔３０が設けてあり原稿を吸引しながら搬送ベルト１９で給送するようになっている。
【００３５】
この搬送枠フレーム２１には原稿ストッパー（図示せず）が設けられ、図示のものは搬送ベルト１９の条間に配置した突起で構成してある。図示３５は搬送ベルト１９のプラテン２と対向する側に左右一対配置されたテンションローラで搬送ベルトを円滑に回転するのと同時に所定の高さ位置に規制する（図３参照）。
【００３６】
前記給紙トレイ１７と搬送ベルト１９との間には搬送ガイド３６が前記搬送枠フレーム２１と一体に形成してあり給紙トレイ１７からの原稿を搬送ベルト１９に導くのと同時に搬送ベルト１９からの原稿を排紙トレイ１８に案内するように構成されている。この搬送ガイド３６には搬送ローラ３７が配置してあり、この搬送ローラ３７は図３で反時計方向に回転し給紙トレイ１７側に面する位置にピンチローラ３８が排紙トレイ１８側に面する位置にピンチローラ３９が設けてある。後述する駆動機構でこの搬送ローラ３７を回転すれば給紙側で原稿を前記搬送ベルト１９に向けて繰出し、排紙側で原稿を搬出することとなり、装置の小型化と簡素化を計っている。図示４０は前記搬送ガイド３６に設けた経路切換ゲートであり、４１はプラスチックフィルムから成るすくい上げガイドである。この切換ゲート４０は図３の状態で給紙トレイ１７からの原稿はその先端でゲートを押し上げて右方向に移送され、逆にプラテンから同図左方向に向かう原稿は排紙トレイ１８側に導かれるようにウェイト調整されている。上記すくい上げガイド４１はプラテンから同図左側に向かう原稿をすくい上げて切換ゲート４０に導くように作用し弾性変形に富んだフィルム素材で構成されている。
【００３７】
駆動機構について説明すると、図４に示すように前記装置フレーム２０には正逆転可能な駆動モータＭが取付けてあり、この駆動モータＭの正逆転で給紙ローラ２６と搬送ベルト１９と搬送ローラ３７を回転駆動する。給紙ローラ２６は電磁クラッチ４２を介して伝動ベルト４５、伝動歯車４６で駆動モータＭに連結されている。搬送ベルト１９は伝動歯車４６で駆動モータＭに連結され、同時に搬送ローラ３７に伝動歯車４７を介して連結してある。この伝動歯車４７にはワンウェイクラッチが内蔵してあり駆動モータＭの一方向の回転は搬送ローラ３７の回転軸に伝達するが逆方向の回転は伝達しないように設定され、駆動モータＭの逆方向の回転は中間歯車４８で回転方向を変更した後搬送ローラ３７の回転軸に伝達するようになっている。従って駆動モータＭの正転および逆転は搬送ベルト１９に正転および逆転として伝達され、搬送ローラ３７には駆動モータＭの正転も逆転も常に図３反時計方向の一方向回転として伝達される。図示６０はフィーダ装置の制御回路基板であり、駆動モータＭへの電源供給と電磁クラッチ４２のＯＮ−ＯＦＦを制御する。
【００３８】
次に上述のフィーダ装置Ｂの据付けについて説明すると、前述の画像読取装置Ａのプラテン２上面に次の様に取付けられる。前記プラテン２はケーシング１に設けたフランジ５との間に段差が形成されている。このような画像読取装置Ａにフィーダ装置Ｂは、原稿のセット基準に設定されている段差と当接する左右位置決め部材４９と、プラテン表面に当接する高さ位置決め部材５０で位置決めされて据付けられる。前記装置フレーム２０を構成する底枠２０ｂにはその遮光カバー部（遮光部材）２４に突起４９ａ、４９ｂ、４９ｃ、４９ｄから成る左右位置決め部材４９が設けてある。この左右位置決め部材４９は画像読取装置Ａの原稿セット基準に設定されているフランジ５の段差に当接して位置を割出すようにしてある。
【００３９】
一方前記高さ位置決め部材５０は搬送枠フレーム２１に設ける。図１１に示すように搬送枠フレーム２１の底部には原稿搬送領域の外側四隅に突起５０ａ、５０ｂ、５０ｃ、５０ｄが設けてあり、図７に示すバキュームチェンバー２２とプラテン表面との間に間隔Ｌ３を形成する。そこで前記左右位置決め部材４９と高さ位置決め部材５０との関係はプラテン表面に対し高さ位置決め部材５０のみが当接し左右位置決め部材４９は当接しないようにそれぞれ構成する突起の長さ寸法を設定する。これは全ての突起の長さ（高さ）寸法を同一に製作することは困難であり、左右位置決め部材４９がプラテン表面と当接し高さ位置決め部材５０がこれと当接しない状態を避ける為である。
【００４０】
上述の画像読取装置及びフィーダ装置の制御について図１２に基づいて説明する。
【００４１】
まず画像読取装置Ａは通常良く知られた構成としてプラテン２上に載置された原稿を読み取り、画像データ処理部７で画像処理した後、データ出力部８からコンピュータ、プリンターなどにデータ転送する。そして光学読取機構６の制御は制御部で行うが図１０Ｂにその構成を示す。画像読取装置Ａには制御基板が内蔵され、この制御基盤にＣＰＵ５４と画像処理ＩＣ５５と出力データ処理ＩＣ５６が組込まれている。中央処理装置ＣＰＵ５４はＲＯＭ５７の制御プログラムを実行するプロセッサーで構成され、画像処理ＩＣ５５にはライン間補正用ＳＲＡＭ５５ａとガンマ補正用ＳＲＡＭ５５ｂとシェーディング補正用ＳＲＡＭ５５Ｃが接続されている。出力データ処理ＩＣ５６にはコンピュータなどの外部装置５８にデータを送信するバッファーＳＤＲＡＭ５９とインターフェース６８が接続してある。そしてＣＰＵ５４にはキャリッジ駆動モータ１６のドライバー６７と光源１１、光電変換素子１４の制御回路７０が接続してある。このＣＰＵとフィーダ装置の制御回路６０とは図７に示すように相互に信号伝達されるようになっている。
【００４２】
フィーダ装置Ｂの制御回路６０は画像読取装置Ａの制御部９とシリアル−パラレル変換手段６９を介して制御部９の信号をフィーダ装置Ｂの駆動モータＭと電磁クラッチ４２のドライバー回路に伝達し、フィーダ装置Ｂから後述のセンサーＳ１、Ｓ２の信号を制御部９に伝達するように構成されている。
【００４３】
一方、前記フィーダ装置Bには給紙トレイ１７に原稿が載置されているか否かを検出するエンプティセンサーＳ１と排紙トレイ１８の排出口には所定時間以上原稿が停滞しているか否かと所定時間以上原稿が到達しないことを検出するジャムセンサーＳ２が設けられ、その検出信号をフィーダ制御回路６０に送るようになっている。
【００４４】
そして前記画像読取装置Ａの制御部９とフィーダ制御回路６０とはコネクター６１で連結され相互に信号の伝達を行い。また画像読取装置Ａからフィーダ装置に駆動モータＭの電源を供給するように構成されている。
【００４５】
そこで画像読取装置Ａは通常の動作モード、例えばカラー、白黒、グレースケールなどの画像種別や解像度によってキャリッジ１０の走査速度を変えるなどコントロールパネルのモード設定で種々の動作を選択するようになっている。前記フィーダ装置Ｂがプラテン２上に据付（載置）けられた時と、これが据付けられていない時とで動作モードを変更する必要がある。図示の構成では、原稿のセット位置が図１１に示すＬ１とＬ２だけ異なり、フィーダ装置で給送した原稿は読取開始位置が主走査方向でＬ１副走査方向でＬ２だけ異なる。そこで前記コネクター６１が接続されているか否かを判別して接続されていないときには通常の動作モードで読取を実行し、接続されているときには以下の動作を実行するようにしてある。
【００４６】
コントロールパネル４で読取開始釦が操作されると制御ＣＰＵ５４は給紙トレイ１７のエンプティセンサーＳ１の状態信号をチェックし、原稿が載置されていない時にはパネル上に表示して使用者に伝える。原稿がセットされているときには給紙指示信号をフィーダ装置Ｂに送り、フィーダ装置の駆動モータＭを正方向に回転する。同時に電磁クラッチ４２を結合し給紙ローラ２６を回転させる。この駆動モータＭの回転は搬送ローラ３７、搬送ベルト１９にも伝えられそれぞれ原稿が送られてくるのに備える。給紙ローラ２６の回転で給紙トレイ１７上の原稿はプラテン２に向かって繰出され、摩擦パッド２７で最上紙のみが送られ搬送ローラ３７に引継がれる。原稿先端が搬送ローラ３７に到達した段階で給紙指示信号からタイマーで電磁クラッチ４２をＯＦＦにする。すると原稿は搬送ローラ３７で引き出されて搬送ベルト１９に到達しプラテン２上に進入する。
【００４７】
この時バキュームファン２９は給紙指示信号で回転していてプラテン２上に進入する原稿を搬送ベルト１９に吸引して搬送する。原稿先端が原稿ストッパーに突き当たると原稿と搬送ベルト１９は滑って原稿はその位置に停止する。給紙指示信号からタイマーで原稿先端が原稿ストッパーに到達した見込時間の後、駆動モータＭの電源を断つ。同時に画像読取装置Ａの制御部９は設定された条件で画像読取を開始する。
【００４８】
読取った画像データは予め定められた主走査方向のＬ１と副走査方向のＬ２（図１１参照）に相当する有効読取開始位置の補正を行ったうえで、データ処理実行し、結果データをデータ出力部８からコンピュータなどの外部装置に転送する。キャリッジ１０の移動で一連の読取走査を終了すると制御部９はフィーダ装置Ｂに原稿排紙の指示信号を発する。そこでフィーダ装置Ｂの制御回路６０は駆動モータＭを逆転する。モータＭの逆転で搬送ベルト１９は逆方向に搬送ローラ３７はワンウェイクラッチで同一方向に給紙ローラ２６は電磁クラッチ４２がＯＦＦ状態で原稿は図３左側に搬出され、すくい上げガイド４１でペーパーガイド３６に導かれ切換ゲート４０で排紙トレイ１８に収納される。排紙トレイ１８上流側のジャムセンサーＳ２が原稿の後端を検出して排紙終了の信号を制御部９に送り、次の給紙指示信号を待つ。
【００４９】
かかる過程で給紙トレイ１７に原稿をセットする際には使用者は図９の状態から排紙トレイ１８を上方に持ち上げ先端部を軸承したピン１８ｃを中心に後端部を揺動させる。すると給紙トレイ後端部は拡開され原稿束を挿入する十分な空間が確保される。これと同時に排紙トレイ１８の先端部は所定角度α（図１０参照）回転した段階でカム８１の係合面８１ａと当接し、その後の回転でカム８１を図１０時計方向に回転させる。
【００５０】
この回転でカム８１は給紙トレイ１７を付勢スプリング１７ｃに抗してピン２５を中心に揺動させ、給紙トレイ先端部は降下して図１０の状態に給紙ローラ２６から離間する。すると原稿先端は給紙ローラ２６と給紙トレイ１７との間に形成された空間に無理なく進入し所定の姿勢でセットされる。給紙トレイ１７上に原稿をセットした後は使用者は排紙トレイ１８を図１０から図９の状態に戻すとカム８１は付勢スプリング１７ｃの力で初期位置に復帰することとなる。
【図面の簡単な説明】
【００５１】
【図１】スキャナー装置に設置したドキュメントフィーダの外観を示す斜視図。
【図２】上記図１のフィーダ装置の組立分解斜視図。
【図３】図２の装置を縦断した縦断面の説明図。
【図４】図２の装置の要部平面の説明図。
【図５】図２の装置の一部を構成する搬送ユニットの底面を示す説明図。
【図６】外部装置と画像読取装置およびフィーダ装置の接続状態を示す概念図。
【図７】フィーダ装置の制御回路の説明図。
【図８】給紙トレイと排紙トレイの取付構造の説明図。
【図９】給紙トレイと排紙トレイの状態を示す説明図で給紙動作時の状態を示す説明図。
【図１０】給紙トレイと排紙トレイの動作状態を示す説明図で原稿を給紙トレイに装填する状態を示す説明図。
【図１１】図２の装置のプラテンと左右位置決め部材および高さ位置決め部材との位置関係を示すレイアウト説明図。
【図１２】図２の装置の制御回路を示す説明図。
【符号の説明】
【００５２】
Ａ  画像読取装置
Ｂ  フィーダ装置
１  ケーシング
２  プラテン
３  プラテンカバー
５  フランジ
６  光学読取機構部
７  画像データ処理部
８  データ出力部
９  制御インターフェース部
１０  キャリッジ
１７  給紙トレイ
１７ａ  原稿載置トレイ部
１７ｂ  サイドガイド
１７ｃ  付勢スプリング
１８  排紙トレイ
１８ｂ  排紙トレイ後端部
１８ｃ  ピン
１９  搬送ベルト
２０  装置フレーム
２０ａ  外装カバー
２０ｂ  底枠
２０ｄ  ストッパー壁
２１  搬送枠フレーム
２２  バキュームチェンバー
２３  露光開口部
２４  遮光カバー部
２５  ピン
２６  給紙ローラ
２７  摩擦パッド
２９  バキュームファン
８０  連動手段
【図１】
2005162427.tif 000003
【図２】
2005162427.tif 000004
【図３】
2005162427.tif 000005
【図４】
2005162427.tif 000006
【図５】
2005162427.tif 000007
【図６】
2005162427.tif 000008
【図７】
2005162427.tif 000009
【図８】
2005162427.tif 000010
【図９】
2005162427.tif 000011
【図１０】
2005162427.tif 000012
【図１１】
2005162427.tif 000013
【図１２】
2005162427.tif 000014